(57)【特許請求の範囲】
【請求項１】
マルチモード基地局のための警告方法であって、
前記マルチモード基地局により、警告情報を第１のマルチモード動作モードの中の第１の動作モードで生成するステップであって、前記第１のマルチモード動作モードは少なくとも２つの動作モードを含み、前記第１のマルチモード動作モードは第１の警告セットに対応し、前記第１の警告セットは前記第１のマルチモード動作モードの全ての動作モードに適用可能な警告情報を含む、ステップと、
前記第１の警告セットに従って前記マルチモード基地局により、前記警告情報が前記第１のマルチモード動作モードの全ての動作モードに適用可能であると判定するステップと、
前記マルチモード基地局により、前記警告情報を前記第１のマルチモード動作モードの公開警告情報としてネットワーク管理システムに送信するステップと、
を含む、方法。
【請求項２】
前記マルチモード基地局により、前記警告情報を前記第１のマルチモード動作モードの公開警告情報としてネットワーク管理システムに送信するステップは、
前記マルチモード基地局により、前記警告情報を前記第１のマルチモード動作モードの公開警告識別子でマークするステップと、
前記マルチモード基地局により、前記第１のマルチモード動作モードの前記公開警告識別子でマークした前記警告情報を前記ネットワーク管理システムに送信するステップと、
を含む、請求項１に記載の方法。
【請求項３】
前記第１の警告セットに従って前記マルチモード基地局により、前記警告情報は前記第１のマルチモード動作モードにおける別の動作モードには適用不可能であると判定するステップと、
前記マルチモード基地局により、前記警告情報を前記第１の動作モードに適用可能な警告情報として前記ネットワーク管理システムに送信するステップと、
をさらに含む、請求項１または２に記載の方法。
【請求項４】
前記マルチモード基地局が前記第１のマルチモード動作モードから単一モードの動作モードに切り替わり、かつ、前記単一モードの動作モードは前記第１の動作モードであるとき、
前記マルチモード基地局により、前記単一モードの動作モードに適用可能である警告情報を前記ネットワーク管理システムに送信するステップと、
をさらに含む、請求項１乃至３の何れか１項に記載の方法。
【請求項５】
前記マルチモード基地局が前記単一モードの動作モードから前記第１のマルチモード動作モードに切り替わったとき、前記マルチモード基地局により、前記単一モードの動作モードで生成され前記第１のマルチモード動作モードに適用可能である警告情報を前記第１のマルチモード動作モードの公開警告情報として前記ネットワーク管理システムに送信するステップをさらに含む、請求項４に記載の方法。
【請求項６】
前記第１の警告セットは前記マルチモード基地局または前記ネットワーク管理システムに格納される、請求項１乃至５の何れか１項に記載の方法。
【請求項７】
警告情報を第１のマルチモード動作モードの中の第１の動作モードで生成するように構成された生成ユニットであって、前記第１のマルチモード動作モードは少なくとも２つの動作モードを含み、前記第１のマルチモード動作モードは第１の警告セットに対応し、前記第１の警告セットは前記第１のマルチモード動作モードの全ての動作モードに適用可能な警告情報を含む、生成ユニットと、
前記第１の警告セットに従って、前記警告情報が前記第１のマルチモード動作モードの全ての動作モードに適用可能であると判定するように構成された判定ユニットと、
前記警告情報を前記第１のマルチモード動作モードの公開警告情報としてネットワーク管理システムに送信するように構成された送信ユニットと、
を備える、マルチモード基地局。
【請求項８】
前記警告情報を前記第１のマルチモード動作モードの公開警告識別子でマークするように構成された処理ユニットをさらに備え、
前記送信ユニットは、さらに、前記第１のマルチモード動作モードの前記公開警告識別子でマークした前記警告情報を前記ネットワーク管理システムに送信するように構成された、
請求項７に記載のマルチモード基地局。
【請求項９】
前記判定ユニットはさらに、前記第１の警告セットに従って、前記警告情報は前記第１のマルチモード動作モードにおける別の動作モードには適用不可能であると判定するように構成され、
前記送信ユニットはさらに、前記警告情報を前記第１の動作モードに適用可能な警告情報として前記ネットワーク管理システムに送信するように構成された、
請求項７または８に記載のマルチモード基地局。
【請求項１０】
前記送信ユニットはさらに、前記マルチモード基地局が前記第１のマルチモード動作モードから単一モードの動作モードに切り替わり、かつ、前記単一モードの動作モードは前記第１の動作モードであるとき、前記単一モードの動作モードに適用可能である警告情報を前記ネットワーク管理システムに送信するように構成された、請求項７乃至９の何れか１項に記載のマルチモード基地局。
【請求項１１】
前記送信ユニットはさらに、前記マルチモード基地局が、前記マルチモード基地局が前記単一モードの動作モードから前記第１のマルチモード動作モードに切り替わったとき、前記単一モードの動作モードで生成され前記第１のマルチモード動作モードに適用可能である警告情報を前記第１のマルチモード動作モードの公開警告情報として前記ネットワーク管理システムに送信するように構成された、請求項１０に記載のマルチモード基地局。
【請求項１２】
前記第１の警告セットを格納するように構成された格納ユニットをさらに備える、請求項７乃至１１の何れか１項に記載のマルチモード基地局。
【発明の詳細な説明】
【技術分野】
【０００１】
本発明の諸態様は、モバイル通信技術の分野に関し、特に、マルチモード基地局のための警告方法、マルチモード基地局、および通信システムに関する。
【背景技術】
【０００２】
マルチモード基地局は、複数の動作モードの基地局装置が統一された装置である。当該装置は、複数の動作モードの無線通信サービスを提供することができる。例えば、マルチモード基地局は、ＬＴＥ、ＷＣＤＭＡ（登録商標）、およびＧＳＭ（登録商標）モード、または他の無線動作モードで無線通信サービスを提供することができる。
【０００３】
マルチモード基地局とは、通常、単一モード基地局に基づいて基地局を統合したものである。単一モード基地局は、単一の動作モードを提供する基地局装置である。例えば、単一モード基地局は、ＬＴＥ、ＷＣＤＭＡ、およびＧＳＭモード、または他の無線動作モードの何れか１つの無線通信サービスを提供することができる。
【０００４】
マルチモード基地局により提供された複数の動作モードは、ハードウェア・リソースの一部またはソフトウェア・リソースの一部を共有することができる。例えば、マルチモード基地局により提供された動作モードは、ファン・モジュール、電源モジュール、アンテナ、またはマルチモード基地局における遠隔無線ユニット（Ｒｅｍｏｔｅ  Ｒａｄｉｏ  Ｕｎｉｔ、短縮してＲＲＵ）のようなリソースを共有して、コストを節約し、マルチモード基地局の統一管理を促進することができる。
【０００５】
勿論、マルチモード基地局は、ハードウェア・リソースの一部またはソフトウェア・リソースの一部を別々に提供して、マルチモード基地局の各動作モードを別々に提供してもよく、様々な動作モードに使用されるハードウェアまたはソフトウェア・リソースを互いに対して独立である。例えば、マルチモード基地局のネットワーク管理システムまたは外部サービス処理モジュールは動作モードごとに独立に使用される。ネットワーク管理システムは、マルチモード基地局内部に配置されるか、または、マルチモード基地局外部に独立に配置されることもある。マルチモード基地局の動作モードを提供する外部サービス処理モジュールまたはネットワーク管理システムは、性能において、単一モード基地局の動作モードを提供する外部サービス処理モジュールまたはネットワーク管理システムとの一貫性を保つ。
【０００６】
マルチモード基地局の動作モードを提供するネットワーク管理システムは基本的に、単一モード基地局の動作モードを提供するネットワーク管理システムを統合したものである。一方、マルチモード基地局では、ネットワーク管理システムは、遠隔管理制御ユニットに接続する役割を担うことができ、例えば、インテリジェント・プラットフォーム管理インタフェース（Ｉｎｔｅｌｌｉｇｅｎｔ  Ｐｌａｔｆｏｒｍ  Ｍａｎａｇｅｍｅｎｔ  Ｉｎｔｅｒｆａｃｅ、短縮してＩＰＭＩ）のオペレータを通じて運用者のネットワーク管理サーバに接続する役割を担うことができる。他方、ネットワーク管理システムは、ネットワーク管理システムが提供する動作モードでハードウェア・リソースまたはソフトウェア・リソースを管理することもできる。
【発明の概要】
【発明が解決しようとする課題】
【０００７】
マルチモード基地局の動作モードを提供するネットワーク管理システムは互いに独立であるが、当該動作モードはハードウェア・リソースまたはソフトウェア・リソースを共有しうるので、ネットワーク管理システムによる或る動作モードの管理が別の動作モードの管理に関連しうる。例えば、マルチモード基地局のＬＴＥモードを提供するネットワーク管理システムがＬＴＥモードで共有ハードウェア・リソースをアップグレードすると、当該共有ハードウェア・リソースを使用する別の動作モードのサービスが影響を受けるおそれがある。特に、ＬＴＥモードとＧＳＭモードの両方を提供するマルチモード基地局では、ネットワーク管理システムがＬＴＥモードで共有ハードウェア・リソースをアップグレードすると、ＧＳＭモードでの共有ハードウェア・リソースもアップグレードする必要がある。別の例として、マルチモード基地局は、警告情報、ステータス情報、またはログをマルチモード基地局のＬＴＥモードを提供するネットワーク管理システムに報告し、ネットワーク管理システムが、ＬＴＥモードを提供するハードウェアまたはソフトウェア・リソースを管理するようにする。警告情報、ステータス情報、またはログが共有ハードウェア・リソースまたは共有ソフトウェア・リソースに関連するとき、ＧＳＭモードを提供するネットワーク管理システムも、共有ハードウェア・リソースまたは共有ソフトウェア・リソースを管理する必要がある。
先行技術では、複数の動作モードをサポートするマルチモード基地局に関して、マルチモード基地局の警告情報を管理するための有効な機構は利用可能となっていない。
【課題を解決するための手段】
【０００８】
本発明の諸実施形態では、マルチモード基地局のための警告方法、マルチモード基地局、および通信システムを提供する。これらは、どのようにマルチモード基地局の警告情報を管理するかに関する問題を解決するのに使用される。
【０００９】
本発明の１態様では、マルチモード基地局により、警告情報を第１のマルチモード動作モードの中の第１の動作モードで生成するステップであって、当該第１のマルチモード動作モードは少なくとも２つの動作モードを含み、当該第１のマルチモード動作モードは第１の警告セットに対応し、当該第１の警告セットは当該第１のマルチモード動作モードの全ての動作モードに適用可能な警告情報を含むステップと、当該第１の警告セットに従って当該マルチモード基地局により、当該警告情報が当該第１のマルチモード動作モードの全ての動作モードに適用可能であると判定するステップと、当該マルチモード基地局により、当該警告情報を当該第１のマルチモード動作モードの公開警告情報としてネットワーク管理システムに送信するステップとを含む、マルチモード基地局のための警告方法を提供する。
【００１０】
本発明の別の態様では、警告情報を第１のマルチモード動作モードの中の第１の動作モードで生成するように構成された生成ユニットであって、当該第１のマルチモード動作モードは少なくとも２つの動作モードを含み、当該第１のマルチモード動作モードは第１の警告セットに対応し、当該第１の警告セットは当該第１のマルチモード動作モードの全ての動作モードに適用可能な警告情報を含む生成ユニットと、当該第１の警告セットに従って、当該警告情報が当該第１のマルチモード動作モードの全ての動作モードに適用可能であると判定するように構成された判定ユニットと、当該警告情報を当該第１のマルチモード動作モードの公開警告情報としてネットワーク管理システムに送信するように構成された送信ユニットとを備えた、マルチモード基地局を提供する。
【００１１】
本発明の別の態様では、マルチモード基地局とネットワーク管理システムを備えた通信システムであって、当該マルチモード基地局は、警告情報を第１のマルチモード動作モードの中の第１の動作モードで生成するように構成され、当該第１のマルチモード動作モードは少なくとも２つの動作モードを含み、当該第１のマルチモード動作モードは第１の警告セットに対応し、当該第１の警告セットは当該第１のマルチモード動作モードの全ての動作モードに適用可能な警告情報を含み、当該マルチモード基地局はさらに、当該第１の警告セットに従って、当該警告情報が当該第１のマルチモード動作モードの全ての動作モードに適用可能であると判定し、当該警告情報を当該第１のマルチモード動作モードの公開警告情報として当該ネットワーク管理システムに送信するように構成され、当該ネットワーク管理システムは、当該マルチモード基地局により送信された当該公開警告情報を受信するように構成された、通信システムを提供する。
【００１２】
当該警告方法をマルチモード基地局に対して使用することによって、当該マルチモード基地局、本発明に従う通信システム、当該マルチモード基地局で生成された警告情報に関連する動作モードの範囲が決まり、当該警告情報がネットワーク管理システムに報告され、当該マルチモード基地局の警告情報の管理が実現される。
【図面の簡単な説明】
【００１３】
【図１】本発明の第１の実施形態に従う、マルチモード基地局のための警告方法の流れ図である。
【図２】本発明の第２の実施形態に従うマルチモード基地局のための警告方法の流れ図である。
【図３】本発明の第３の実施形態のマルチモード基地局のための警告方法の流れ図である。
【図４】本発明の第４の実施形態に従うマルチモード基地局のための警告方法の流れ図である。
【図５】本発明の第５の実施形態に従うマルチモード基地局の略構造図である。
【図６】本発明の第６の実施形態に従う通信システムの略構造図である。
【発明を実施するための形態】
【００１４】
本発明の諸実施形態の目的、技術的解決策、および利点をより分かりやすくするために、以下では、本発明の諸実施形態における技術的解決策を、本発明の諸実施形態における添付図面を参照して明確かつ十分に説明する。明らかに、説明した実施形態は本発明の諸実施形態の全部ではなく一部にすぎない。創造的作業なしに当業者が本発明の諸実施形態に基づいて得る他の全ての実施形態は本発明の保護範囲に入る。
【００１５】
当業者は、添付図面が例示的な本発明の諸実施形態を示すにすぎず、添付図面におけるモジュールまたは手続きは本発明の実施形態に必須ではないことを理解する。
【００１６】
本発明の第１の実施形態におけるマルチモード基地局のための警告方法を図１に示す。当該方法は、以下を含む。
【００１７】
Ｓ１０１では、マルチモード基地局が警告情報を第１のマルチモード動作モードの中の第１の動作モードで生成する。当該第１のマルチモード動作モードは少なくとも２つの動作モードを含み、当該第１のマルチモード動作モードは第１の警告セットに対応し、当該第１の警告セットは、当該第１のマルチモード動作モードの全ての動作モードに適用可能な警告情報を含む。
【００１８】
Ｓ１０２では、マルチモード基地局は、第１の警告セットに従って、警告情報が第１のマルチモード動作モードの全ての動作モードに適用可能であると判定する。
【００１９】
Ｓ１０３では、マルチモード基地局は、警告情報を第１のマルチモード動作モードの公開警告情報としてネットワーク管理システムに送信する。
【００２０】
Ｓ１０１では、警告情報が、マルチモード基地局におけるハードウェア装置またはソフトウェア装置が故障するかまたは保守する必要があるときに、幾つかのハードウェア装置またはソフトウェア装置に関する、マルチモード基地局で生成された警告指示であってもよい。例えば、マルチモード基地局においてＬＴＥモードを提供するファン・モジュールが故障し、関連部品に対する通常の熱散逸をＬＴＥモードで実施できないときに、マルチモード基地局はファン・モジュールに関する警告指示を生成する。別の例として、マルチモード基地局においてＷＣＤＭＡモードを提供するＲＲＵが故障し、通常の遠隔無線送信をＷＣＤＭＡモードで実施できないときには、マルチモード基地局はＲＲＵに関する警告指示を生成する。
【００２１】
本実施形態では、第１のマルチモード動作モードとは、マルチモード基地局の動作モードの任意の組合せである。例えば、ＬＴＥモード、ＷＣＤＭＡモード、およびＧＳＭモードがマルチモード基地局に存在するとき、第１のマルチモード動作モードはＬＴＥモードおよびＷＣＤＭＡモードを含んでもよく、または、ＷＣＤＭＡモードおよびＧＳＭモードを含んでもよく、または、ＬＴＥモード、ＷＣＤＭＡモード、およびＧＳＭモードを含んでもよい。第１のマルチモード動作モードの中の動作モードが第１のマルチモード動作モードにおける全ての動作モードであってもよく、または、マルチモード基地局における幾つかの特定の動作モードであってもよく、これらは本発明において限定されないことは当業者には理解される。
【００２２】
本実施形態では、第１の警告セットをマルチモード基地局に格納してもよく、または、ネットワーク管理システムに格納してもよい。第１の警告セットがマルチモード基地局の中の情報リストであってもよい。マルチモード基地局は、第１のマルチモード動作モードの全ての動作モードにより共有されうるハードウェア・リソースまたはソフトウェア・リソースの情報を収集して、当該情報リストを確立し維持する。当該情報リストが、動作モードの数、動作モードの名前、動作モードに対応する共有ハードウェア・リソースまたはソフトウェア・リソースの情報、ハードウェア・リソースまたはソフトウェア・リソースにより共有できる警告情報等が含まれるが、これらは本発明では限定されない。
【００２３】
本実施形態では、マルチモード基地局の動作モードの数が変化すると、マルチモード基地局はまた、当該情報リストを更新してもよい。特に、マルチモード基地局が、ＬＴＥモード、ＧＳＭモード、およびＷＣＤＭモードを有することを仮定する。マルチモード基地局により提供された無線通信サービスが変化すると、マルチモード基地局は元の３つの動作モードから（例えば、ＬＴＥモードおよびＧＳＭモードのみを含む）２つの動作モードに切り替えてもよいが、ＷＣＤＭＡモードは有さない。このケースでは、マルチモード基地局は動作モードの変化に従って情報リストを更新してもよい。当該情報リストを様々な形態で提供してもよく、例えば、エクセルの形でマルチモード基地局またはネットワーク管理システムに存在してもよく、これらは本発明では限定されないことは当業者には理解される。
【００２４】
本実施形態では、マルチモード基地局が当該マルチモード基地局における異なる動作モードで警告情報を生成してもよいことは当業者には理解される。例えば、マルチモード基地局は、第１のマルチモード動作モードにおける第１の動作モードで警告情報を生成してもよく、または、マルチモード基地局が第１のマルチモード動作モードにおける別の動作モードで警告情報を生成してもよく、これらは本発明では限定されない。
【００２５】
Ｓ１０２では、公開警告情報は、第１のマルチモード動作モードの中の動作モードで共有されうる一部のハードウェア・リソースまたは一部のソフトウェア・リソースが故障しているか、または、それらを保守する必要があるときに、マルチモード基地局により警告情報を生成する。本実施形態では、第１の警告セットにおける警告情報が公開警告情報であってもよい。例えば、マルチモード基地局においてＬＴＥモードを提供するファン・モジュールが故障し、関連部品に対する通常の熱散逸をＬＴＥモードで実施できないときに、マルチモード基地局はファン・モジュールに関する警告指示を生成する。第１のマルチモード動作モードの中の動作モードが当該ファン・モジュールを共有できるので、マルチモード基地局は、第１の警告セットに従って、当該警告指示を第１のマルチモード動作モードの全ての動作モードに適用可能であるのを知ることができる。別の例として、マルチモード基地局においてＷＣＤＭＡモードを提供するＲＲＵが故障し、通常の遠隔無線送信をＷＣＤＭＡモードで実施できないときには、マルチモード基地局はＲＲＵに関する警告指示を生成する。第１のマルチモード動作モードの中の動作モードがＲＲＵを共有できるので、マルチモード基地局は、当該第１の警告セットに従って、当該警告指示が第１のマルチモード動作モードの全ての動作モードに適用可能であることを知ることができる。
【００２６】
本実施形態では、マルチモード基地局により生成された警告情報が第１の警告セットに含まれるとき、または、マルチモード基地局により生成された警告情報が第１のマルチモード動作モードの全ての動作モードに適用可能であるとき、マルチモード基地局は、当該警告情報を公開警告情報識別子で第１のマルチモード動作モードの公開警告情報としてマークしてもよい。
【００２７】
本実施形態では、公開警告情報識別子でマークされた警告情報が、警告情報を保持するデータに追加されたフィールドであってもよく、または、警告情報を保持するデータに追加された識別子であってもよい。当該フィールドと当該識別子に含まれる内容を公開警告情報識別子として使用してもよい。
【００２８】
例えば、フィールドが警告情報のデータに追加される。当該フィールドに含まれるデータは「はい」または「いいえ」である。警告情報が第１の警告セットに含まれるとマルチモード基地局が検出したとき、マルチモード基地局は当該警告情報に追加された当該フィールド内のデータを「はい」として記録する。即ち、当該警告情報は公開警告情報識別子でマークされる。当該公開警告情報識別子は、当該警告情報が第１のマルチモード動作モードの全ての動作モードの警告情報であること、および、当該警告情報が公開警告情報であることを示す。当該警告情報が第１の警告セットに含まれないことをマルチモード基地局が検出したとき、マルチモード基地局は当該警告情報に追加されたフィールド内のデータを「いいえ」として記録する。即ち、当該警告情報は公開警告情報識別子でマークされず、当該警告情報は公開警告情報ではない。
【００２９】
別の例として、フィールドが警告情報のデータに追加される。当該フィールドに含まれるデータはマルチモード基地局の動作モードである。当該警告情報が第１の警告セットに含まれるとマルチモード基地局が検出したとき、マルチモード基地局は第１のマルチモード動作モードの中の動作モードを、当該警告情報に追加されたフィールドのデータに記録する。即ち、当該警告情報は公開警告情報識別子でマークされ、当該公開警告情報識別子は第１のマルチモード動作モードの中の動作モードを表す。特に、マルチモード基地局により提供される動作モードがＬＴＥモード、ＷＣＤＭＡモード、ＧＳＭモードであり、マルチモード基地局の第１のマルチモード動作モードが３つの動作モード、即ち、ＬＴＥモード、ＷＣＤＭＡモード、およびＧＳＭモードを含むと仮定する。ＬＴＥモードを提供するファン・モジュールが故障しており保守の必要があるとマルチモード基地局が検出したとき、マルチモード基地局は警告情報をＬＴＥモードで生成し、当該警告情報に追加されたフィールド内のデータをＬＴＥモード、ＷＣＤＭＡモード、およびＧＳＭモードとして記録して、当該公開警告情報に関連する動作モードの範囲にある、第１の動作モードの中の全ての動作モードに当該警告情報が適用可能であることを示す。警告情報が第１の警告セットに含まれないか、または、当該警告情報が第１の動作モードの中の全ての動作モードには適用不可能であるとマルチモード基地局が検出したときには、マルチモード基地局は、当該警告情報に追加されたフィールドのデータに当該動作モードを記録しないか、または、当該警告情報に追加されたフィールドのデータに当該第１の動作モードのみを記録する。即ち、当該警告情報は公開警告情報識別子でマークされない。当該警告情報を公開警告情報として使用することを、他の方式で実装してもよいことは当業者には理解される。例えば、些細な警告情報と公開警告情報とを、第１の警告セットに含まれない警告情報はマークするが第１の警告セットに含まれる警告情報はマークしないことによって、区別してもよく、これらは本発明では限定されない。
【００３０】
Ｓ１０３では、マルチモード基地局が第１の動作モードで警告情報を生成し、かつ、当該警告情報が当該第１のマルチモード動作モードの全ての動作モードに適用可能であるとき、マルチモード基地局は公開警告識別子でマークされた警告情報をネットワーク管理システムに送信する。当該ネットワーク管理システムは、マルチモード基地局の全ての動作モードにサービスを提供してもよく、または、第１のマルチモード動作モードにサービスを提供してもよく、または、第１の動作モードに対してのみサービスを提供してもよい。例えば、マルチモード基地局の全ての動作モードを提供するネットワーク管理システムが、公開警告識別子でマークされた警告情報を、当該ネットワーク管理システムにリモートに接続されたネットワーク管理サーバに送信してもよい。公開警告識別子でマークされた警告情報を受信した後、当該ネットワーク管理サーバを保守するネットワーク管理者は、当該警告情報に関連するマルチモード基地局の動作モードの範囲を取得して、当該警告情報に保持されている問題を解決する。これにより、マルチモード基地局の動作モードに対する統一された管理と保守が容易になり、保守コストが削減され、管理効率性が増す。別の例として、第１の動作モードを提供するネットワーク管理システムが、公開警告識別子でマークされた警告情報を、当該ネットワーク管理システムにリモートに接続されたネットワーク管理サーバに送信してもよい。様々な動作モードが公開警告識別子に存在するとき、ネットワーク管理者は、警告情報に従って関連する動作モードの範囲を知ることができる。第１の動作モードを提供するネットワーク管理システムは、第１の動作モードに対する、当該警告情報に保持される問題を解決し、当該ネットワーク管理システムはさらに、別の動作モードを提供するネットワーク管理システムに当該警告情報を送信して、別の動作モードを提供するネットワーク管理システムに接続されたネットワーク管理サーバに通知し、他のネットワーク管理者が、別の動作モードを提供するネットワーク管理システムを介して、別の動作モードに対する当該警告情報に保持された問題を保守または解決するかどうかを判定できるようにしてもよい。これにより、マルチモード基地局の動作モードに対する統一された管理と保守が容易になり、保守コストが削減され、管理効率性が増す。
【００３１】
本実施形態では、第１の警告セットに従って、警告情報が第１のマルチモード動作モードにおける別の動作モードには適用不可能であるとマルチモード基地局が判定したとき、マルチモード基地局は、当該警告情報を当該第１の動作モードに適用可能な警告情報としてネットワーク管理システムに送信する。例えば、第１の動作モードで生成された警告情報が第１の警告セットに含まれないとき、マルチモード基地局は、当該警告情報を公開警告情報識別子でマークせず、当該警告情報をネットワーク管理システムに直接送信して、ネットワーク管理システムが第１の動作モードのソフトウェア・リソースまたはハードウェア・リソースを維持するようにする。
【００３２】
本実施形態では、マルチモード基地局が第１のマルチモード動作モードから単一モードの動作モードに切り替わったとき、マルチモード基地局は当該単一モードの動作モードに適用可能である警告情報をネットワーク管理システムに送信する。例えば、当該単一モードの動作モードが第１の動作モードであるとき、マルチモード基地局は、第１のマルチモード動作モードの公開警告情報の公開警告情報識別子を削除して、公開警告情報識別子を削除した警告情報を、第１の動作モードの警告情報としてネットワーク管理システムに送信してもよい。単一モードの動作モードとは、１つの動作モードのみがマルチモード基地局に存在することを意味する。例えば、マルチモード基地局により提供された通信環境が変化するかまたはマルチモード基地局が別のモードを提供する必要がないときには、マルチモード基地局が１つの動作モードのみを有してもよい。
【００３３】
本実施形態では、マルチモード基地局が単一モードの動作モードから第１のマルチモード動作モードに再び切り替わったとき、マルチモード基地局は、第１のマルチモード動作モードに適用可能な警告情報を当該第１のマルチモード動作モードの公開警告情報としてネットワーク管理システムに送信する。例えば、単一モードの動作モードに適用可能である警告情報が第１のマルチモード動作モードにも適用可能であるときには、マルチモード基地局は当該警告情報を公開警告情報識別子でマークして、当該警告情報を第１のマルチモード動作モードの公開警告情報としてネットワーク管理システムに送信する。
【００３４】
したがって、本実施形態では、マルチモード基地局は、マルチモード基地局で生成された警告情報に関連する動作モードの範囲を決定し、当該警告情報をネットワーク管理システムに送信することができる。その結果、ネットワーク管理システムは、マルチモード基地局により報告された警告情報に従って、当該警告情報に関連する動作モードの範囲を決定する。これによりマルチモード基地局の動作モードに対する統一された管理と保守が容易になり、保守コストが削減され、管理効率性が増す。
【００３５】
本発明の第２の実施形態におけるマルチモード基地局のための警告方法を図２に示す。当該方法は以下を含む。
【００３６】
Ｓ２０１では、マルチモード基地局が警告情報を第１の動作モードで生成する。
Ｓ２０２では、マルチモード基地局が、マルチモード基地局の動作モードの数を決定し、当該警告情報が公開警告情報であるかどうかを判定する。
Ｓ２０３では、マルチモード基地局が、動作モードの数が２つ以上で、かつ、警告情報が公開警告情報であると判定したとき、マルチモード基地局は、当該警告情報を公開警告情報としてネットワーク管理システムに送信する。
Ｓ２０４では、マルチモード基地局が、動作モードの数が１つであるかまたは警告情報が公開警告情報でないと判定したとき、マルチモード基地局は、当該警告情報を第１の動作モードの警告情報としてネットワーク管理システムに送信する。
【００３７】
Ｓ２０１はここではこれ以上説明しない。詳細については、第１の実施形態におけるＳ１０２の関連説明を参照されたい。
【００３８】
Ｓ２０２では、マルチモード基地局により動作モードの数を決定するステップが、マルチモード基地局により、動作モードが複数の動作モードであるか単一の動作モードであるかを判定するステップ、または、マルチモード基地局により、動作モードの特定の範囲を決定するステップであってもよい。例えば、マルチモード基地局が、動作モードの数が２であると判定してもよく、または、動作モードの特定の範囲がＧＳＭモードとＬＴＥモードであると判定してもよい。
【００３９】
本実施形態では、マルチモード基地局により、動作モードの数が２つ以上であると判定するステップは、マルチモード基地局が２つ以上の無線通信サービスを提供するかどうかを判定するステップである。例えば、マルチモード基地局は、マルチモード基地局がＬＴＥモードとＧＳＭモードの両方の無線通信サービスを提供する必要があるかどうかを判定し、マルチモード基地局が、その判定結果が、ＬＴＥモードのみをマルチモード基地局によりサービス要件に従って提供する必要があるというものである場合には単一の動作モードを提供する。上述の判定方法を事前構成した手段によって取得してもよく、これらは本発明では限定されないことは当業者には理解される。
【００４０】
本実施形態では、公開警告情報についてはここではこれ以上説明しない。詳細については、第１の実施形態における関連説明を参照されたい。
【００４１】
Ｓ２０３とＳ２０４では、マルチモード基地局が、動作モードの数が２つ以上であり警告情報が公開警告情報であると判定したとき、マルチモード基地局は当該警告情報を公開警告識別子でマークし、当該公開警告識別子でマークされた警告情報を公開警告情報としてネットワーク管理システムに送信する。マルチモード基地局により警告情報を公開警告識別子でマークすることの詳細については、第１の実施形態における関連説明を参照されたい。マルチモード基地局により、動作モードの数が２つ以上であると判定するステップを、マルチモード基地局により、マルチモード基地局がさらに別の動作モードを有すること、例えば、第２の動作モードをさらに有することを判定するステップとして理解してもよい。マルチモード基地局により、動作モードの数が１であると判定するステップを、マルチモード基地局により、マルチモード基地局が他の動作モードを有さないこと、例えば、第１の動作モードしか有さないと判定するステップとして理解してもよい。マルチモード基地局が、マルチモード基地局が他の動作モードを有さないと判定したとき、マルチモード基地局は当該警告情報を公開警告識別子でマークせず、公開警告識別子でマークしなかった警告情報を第１の動作モードの警告情報としてネットワーク管理システムに送信する。
【００４２】
本実施形態では、警告情報が公開警告識別子でマークされているといないとに関わらず、マルチモード基地局は当該警告情報をネットワーク管理システムに送信して、当該ネットワーク管理システムを介してネットワーク管理サーバに接続する。このように、ネットワーク管理者は、故障、または、故障した動作モードの範囲を視覚的に知ることができる。例えば、マルチモード基地局が２つの動作モード、即ち、ＬＴＥモードとＧＳＭモードを有すると仮定する。マルチモード基地局が、ＧＳＭモードを提供するファン・モジュールの警告情報を受信したとき、当該ファン・モジュールは、マルチモード基地局におけるＬＴＥモードとＧＳＭモードにより共有されるハードウェア・リソースであり、かつ、マルチモード基地局の動作モードの数は２であるので、マルチモード基地局は警告情報を公開警告情報識別子でマークし、公開警告情報識別子でマークされた警告情報を、ＧＳＭモードを提供するネットワーク管理システムに送信し、または、当該警告情報を、ＬＴＥモードとＧＳＭモードの両方を提供するネットワーク管理システムに送信する。別の例として、マルチモード基地局はＧＳＭモードを提供するＣＰＵの警告情報を受信する。ＣＰＵはマルチモード基地局におけるＬＴＥモードとＧＳＭモードにより共有されるハードウェア・リソースではないので、マルチモード基地局の動作モードの数が２であるけれども、マルチモード基地局は当該警告情報を公開警告情報識別子でマークせず、公開警告情報識別子でマークされなかった警告情報を、ＧＳＭモードを提供するネットワーク管理システムに送信するか、または、当該警告情報を、ＬＴＥモードとＧＳＭモードの両方を提供するネットワーク管理システムに送信する。別の例として、マルチモード基地局の動作モードが元のＬＴＥモードとＧＳＭモードからＬＴＥモードのみに切り替わったとき、マルチモード基地局は、ＬＴＥモードを提供するファン・モジュールの警告情報を受信する。ファン・モジュールはマルチモード基地局においてＬＴＥモードとＧＳＭモードにより共有されるハードウェア・リソースであるけれども、マルチモード基地局の動作モードの数は１である。したがって、マルチモード基地局は当該警告情報を公開警告情報識別子でマークせず、公開警告情報識別子でマークされなかった警告情報を、ＬＴＥモードを提供するネットワーク管理システムに送信するか、または、当該警告情報を、ＬＴＥモードとＧＳＭモードの両方を提供するネットワーク管理システムに送信する。
【００４３】
したがって、本実施形態では、マルチモード基地局は、マルチモード基地局で生成された警告情報に関連する動作モードの範囲を決定し、当該警告情報をネットワーク管理システムに報告することができる。その結果、ネットワーク管理システムは、マルチモード基地局により報告された警告情報に従って、当該警告情報に関連する動作モードの範囲を決定する。
【００４４】
本発明の第３の実施形態におけるマルチモード基地局のための警告方法を図３に示す。当該方法は以下を含む。
【００４５】
Ｓ３０１では、マルチモード基地局が第１の警告情報を第１のモードで生成する。
Ｓ３０２では、マルチモード基地局の動作モードがマルチモードの動作モードであるかどうかを判定する。
Ｓ３０３では、当該動作モードがマルチモードの動作モードであり、かつ、第１の警告情報がマルチモードの動作モードに適用可能であるとマルチモード基地局が判定したとき、マルチモード基地局は、当該第１の警告情報をマルチモードの動作モードの公開警告情報としてネットワーク管理システムに送信する。
Ｓ３０４ではマルチモード基地局は、第２の警告情報を第１の動作モードで生成する。
Ｓ３０５では、動作モードがマルチモードの動作モードから単一モードの動作モードに切り替わり、かつ、当該単一モードの動作モードが第１の動作モードであるとマルチモード基地局が判定したとき、マルチモード基地局は、当該第２の警告情報を第１の動作モードの警告情報としてネットワーク管理システムに送信する。
Ｓ３０６では、動作モードがマルチモードの動作モードから単一の動作モードに切り替わり、かつ、単一の動作モードが第１の動作モードでないとマルチモード基地局が判定したとき、マルチモード基地局は当該第２の警告情報をネットワーク管理システムに送信しない。
【００４６】
本実施形態では、Ｓ３０１とＳ３０４はここではこれ以上説明しない。詳細については、第２の実施形態のＳ２０１の関連説明を参照されたい。
【００４７】
Ｓ３０２では、マルチモードの動作モードは、２つ以上の動作モードがマルチモード基地局で提供されることを意味する。例えば、マルチモード基地局が複数の通信環境を提供する必要があるか、または、複数の動作モードに対してサービスを提供する必要があるときには、マルチモード基地局が複数の動作モードを有してもよい。例えば、マルチモード基地局がＬＴＥモードとＧＳＭモードの両方を提供してもよい。
【００４８】
Ｓ３０３では、マルチモード基地局が２つ以上の動作モードを検出し、かつ、警告情報がマルチモードの動作モードに適用可能であることを検出したときには、マルチモード基地局は、第１の警告情報を公開警告識別子でマークし、当該公開警告識別子でマークした第１の警告情報をマルチモードの動作モードの公開警告情報として、対応するネットワーク管理システムに送信してもよい。上述の方法はここではこれ以上説明しない。詳細については、第１の実施形態のＳ１０２と第２の実施形態のＳ２０３の関連説明を参照されたい。
【００４９】
Ｓ３０５では、単一モードの動作モードとは、１つの動作モードのみがマルチモード基地局に存在することを意味する。例えば、マルチモード基地局により提供された通信環境が変化するか、または、マルチモード基地局が別の動作モードを提供する必要がないときには、マルチモード基地局は１つの動作モードのみを有してもよい。
【００５０】
本実施形態では、マルチモード基地局がマルチモードの動作モードから単一モードの動作モードに切り替わったとき、マルチモード基地局が別の動作モードのハードウェア・リソースまたはソフトウェア・リソースをもはや保守または監視する必要はないが、単一の動作モードのハードウェア・リソースまたはソフトウェア・リソースを保守または監視する必要はある。このケースでは、マルチモード基地局は第２の警告情報を公開警告識別子でマークしなくともよく、公開警告識別子を保持しない当該第２の警告情報をネットワーク管理システムに送信してもよい。例えば、マルチモード基地局が、ＬＴＥモードとＧＳＭモードを有し、マルチモード基地局が、ＬＴＥモードを提供するファン・モジュールに関する警告情報を取得すると仮定する。マルチモード基地局の動作モードが変化すると、マルチモード基地局がＬＴＥモードを有するがＧＳＭモードを有さないと仮定すれば、マルチモード基地局は当該警告情報をＬＴＥモードの警告情報としてネットワーク管理システムに送信する。
【００５１】
本実施形態では、マルチモード基地局がマルチモードの動作モードから単一モードの動作モードに切り替わり、かつ、当該単一モードの動作モードが第１の動作モードであるとき、マルチモード基地局は、公開警告情報としての役割を果たす第１の警告情報の公開警告識別子をキャンセルし、第１の警告情報を第１の動作モードの警告情報としてネットワーク管理システムに送信してもよい。
【００５２】
Ｓ３０６では、単一の動作モードが第１の動作モードでないとマルチモード基地局が判定したとき、マルチモード基地局は当該第２の警告情報の送信をキャンセルする。例えば、マルチモード基地局がＬＴＥモードとＧＳＭモードを有し、マルチモード基地局がＬＴＥモードを提供するファン・モジュールに関する警告情報を取得すると仮定する。マルチモード基地局の動作モードが変化すると、マルチモード基地局がＬＴＥモードを有するがＧＳＭモードを有さないと仮定すると、マルチモード基地局はＬＴＥモードの警告情報をネットワーク管理システムに送信することをキャンセルする。
【００５３】
したがって、本実施形態では、マルチモード基地局は、マルチモード基地局で生成された警告情報に関連する動作モードの範囲を決定し、当該警告情報をネットワーク管理システムに報告することができる。その結果、ネットワーク管理システムは、マルチモード基地局により報告された警告情報に従って、当該警告情報に関連する動作モードの範囲を決定する。
【００５４】
本発明の第４の実施形態におけるマルチモード基地局のための警告方法を図４に示す。当該方法は、以下を含む。
Ｓ４０１では、マルチモード基地局が第１の警告情報を第１のモードで生成する。
Ｓ４０２では、マルチモード基地局の動作モードが単一の動作モードであるかどうかを判定する。
Ｓ４０３では、当該動作モードが単一モードの動作モードであり、かつ、当該単一モードの動作モードが第１の動作モードであるとマルチモード基地局が判定したときには、マルチモード基地局は、当該第１の警告情報を当該第１のモードの警告情報としてネットワーク管理システムに送信する。
Ｓ４０４ではマルチモード基地局が、第２の警告情報を第１の動作モードで生成する。
Ｓ４０５では、動作モードが単一モードの動作モードからマルチモードの動作モードに切り替わり、かつ、第２の警告情報がマルチモードの動作モードに適用可能であるとマルチモード基地局が判定したときには、マルチモード基地局は、当該第２の警告情報をマルチモードの動作モードの公開警告情報としてネットワーク管理システムに送信する。
【００５５】
本実施形態のＳ４０１とＳ４０４についてはここではこれ以上説明しない。詳細については、第２の実施形態のＳ２０１を参照されたい。
【００５６】
Ｓ４０２では、単一モードの動作モードとは、１つの動作モードしかマルチモード基地局で提供されないことを意味する。例えば、マルチモード基地局が通信環境に従って１つの動作モードにしかサービスを提供する必要がないときには、マルチモード基地局は単一モードの動作モードを有してもよい。
【００５７】
Ｓ４０３では、マルチモード基地局が１つの動作モードしか検出しなかったとき、マルチモード基地局は当該第１の警告情報を公開警告識別子でマークしないが、当該第１の警告情報を第１の動作モードの警告情報としてネットワーク管理システムに直接送信し、当該警告情報を、ネットワーク管理システムにリモートに接続されたネットワーク管理サーバに通知する。具体的な方法についてはここではこれ以上説明しない。詳細については、第３の実施形態の関連説明を参照されたい。
【００５８】
Ｓ４０５では、マルチモード基地局が単一モードの動作モードからマルチモードの動作モードに切り替わり、かつ、第２の警告情報がマルチモードの動作モードに適用可能であるときには、別の動作モードのハードウェア・リソースまたはソフトウェア・リソースを保守または監視する必要があるので、マルチモード基地局は、当該第２の警告情報を公開警告識別子でマークし、公開警告識別子でマークされた第２の警告情報を公開警告情報としてネットワーク管理システムに送信してもよい。警告情報を公開警告識別子でマークすることについては、第１の実施形態のＳ１０２の関連説明を参照できることは当業者には理解される。詳細についてはここでは省略する。
【００５９】
本実施形態では、第２の警告情報を単一モードの動作モードで生成してもよい。第２の警告情報を単一モードの動作モードで生成し、かつ、第２の警告情報がマルチモードの動作モードに適用可能であるときには、マルチモード基地局は第２の警告情報をマルチモードの動作モードの公開警告情報としてネットワーク管理システムに送信する。
【００６０】
したがって、本実施形態では、マルチモード基地局は、マルチモード基地局で生成された警告情報に関連する動作モードの範囲を決定し、当該警告情報をネットワーク管理システムに送信することができる。その結果、ネットワーク管理システムは、マルチモード基地局により報告された警告情報に従って、当該警告情報に関連する動作モードの範囲を決定する。
【００６１】
諸実施形態の方法における手続きの全部または一部をプログラムの命令のもとでハードウェアにより実装できることは当業者には理解される。当該プログラムを、コンピュータ読取可能記憶媒体に格納してもよく、当該プログラムを実行したとき、諸実施形態の方法における手続きが実行される。当該記憶媒体は、ＲＯＭ、ＲＡＭ、磁気ディスク、または光ディスクのような、プログラム・コードを格納できる任意の媒体であってもよい。
【００６２】
図５に示すように、本発明の第５の実施形態ではマルチモード基地局を提供する。当該マルチモード基地局の主要な構造を図５に示す。当該マルチモード基地局は、警告情報を第１のマルチモード動作モードの中の第１の動作モードで生成するように構成された生成ユニット５０１であって、当該第１のマルチモード動作モードは少なくとも２つの動作モードを含み、当該第１のマルチモード動作モードは第１の警告セットに対応し、当該第１の警告セットは当該第１のマルチモード動作モードの全ての動作モードに適用可能な警告情報を含む生成ユニット５０１と、当該第１の警告セットに従って、当該警告情報が当該第１のマルチモード動作モードの全ての動作モードに適用可能であると判定するように構成された判定ユニット５０２と、当該警告情報を当該第１のマルチモード動作モードの公開警告情報としてネットワーク管理システムに送信するように構成された送信ユニット５０３と、を備える。
【００６３】
判定ユニット５０２はさらに、当該第１の警告セットに従って、当該警告情報は当該第１のマルチモード動作モードにおける別の動作モードには適用不可能であると判定するように構成される。
【００６４】
送信ユニット５０３はさらに、当該警告情報を当該第１の動作モードに適用可能な警告情報としてネットワーク管理システムに送信するように構成される。
【００６５】
マルチモード基地局はさらに、当該警告情報を当該第１のマルチモード動作モードの公開警告識別子でマークするように構成された処理ユニット５０４を備える。
【００６６】
送信ユニット５０３はさらに、第１のマルチモード動作モードの公開警告識別子でマークした警告情報をネットワーク管理システムに送信するように構成される。
【００６７】
送信ユニット５０３はさらに、マルチモード基地局が第１のマルチモード動作モードから単一モードの動作モードに切り替わり、かつ、当該単一モードの動作モードは第１の動作モードであるとき、当該単一モードの動作モードに適用可能である警告情報を当該ネットワーク管理システムに送信するようにマルチモード基地局に対して構成される。
【００６８】
送信ユニット５０３はさらに、マルチモード基地局が単一モードの動作モードから第１のマルチモード動作モードに切り替わったとき、当該単一モードの動作モードで生成され当該第１のマルチモード動作モードに適用可能である警告情報を当該第１のマルチモード動作モードの公開警告情報としてネットワーク管理システムに送信するようにマルチモード基地局に対して構成される。
【００６９】
マルチモード基地局はさらに、第１の警告セットを格納するように構成された格納ユニット５０５を備える。
【００７０】
本実施形態では、マルチモード基地局は、マルチモード基地局に対する警告方法における、マルチモード基地局により実行される動作を実装するために使用される。例えば、生成ユニット５０１は第１の実施形態におけるＳ１０１の動作を実行するように構成され、送信ユニット５０３は第１の実施形態におけるＳ１０３の動作を実行するように構成される。
【００７１】
したがって、本実施形態では、マルチモード基地局は、マルチモード基地局で生成された警告情報に関連する動作モードの範囲を決定し、当該警告情報をネットワーク管理システムに送信することができる。その結果、ネットワーク管理システムは、マルチモード基地局により報告された警告情報に従って、当該警告情報に関連する動作モードの範囲を決定する。
【００７２】
図６に示すように、本発明の第６の実施形態では通信システムを提供する。当該通信システムの主要な構造は図６に示されている。当該通信システムは、マルチモード基地局６０１とネットワーク管理システム６０２を備える。
【００７３】
マルチモード基地局６０１は、警告情報を第１のマルチモード動作モードの中の第１の動作モードで生成するように構成される。当該第１のマルチモード動作モードは少なくとも２つの動作モードを含み、当該第１のマルチモード動作モードは第１の警告セットに対応し、当該第１の警告セットは当該第１のマルチモード動作モードの全ての動作モードに適用可能な警告情報を含み、マルチモード基地局はさらに、当該第１の警告セットに従って、当該警告情報が当該第１のマルチモード動作モードの全ての動作モードに適用可能であると判定し、当該警告情報を当該第１のマルチモード動作モードの公開警告情報としてネットワーク管理システムに送信するように構成される。
【００７４】
ネットワーク管理システム６０２は、マルチモード基地局により送信された公開警告情報を受信するように構成される。
【００７５】
マルチモード基地局６０１はさらに、第１の警告セットを格納するように構成される。  ネットワーク管理システム６０１はさらに、第１の警告セットを格納するように構成される。マルチモード基地局６０１はさらに、当該第１の警告セットに従って、当該警告情報が当該第１のマルチモード動作モードの中の別の動作モードには適用不可能であると判定し、当該警告情報を当該第１の動作モードに適用可能な警告情報としてネットワーク管理システムに送信するように構成される。
【００７６】
マルチモード基地局６０１はさらに、警告情報を第１のマルチモード動作モードの公開警告識別子でマークし、当該第１のマルチモード動作モードの当該公開警告識別子でマークした当該警告情報をネットワーク管理システムに送信するように構成される。
【００７７】
マルチモード基地局６０１が第１のマルチモード動作モードから単一モードの動作モードに切り替わり、かつ、単一モードの動作モードは第１の動作モードであるとき、マルチモード基地局６０１はさらに、当該単一モードの動作モードに適用可能である警告情報をネットワーク管理システムに送信するように構成される。
【００７８】
マルチモード基地局６０１が単一モードの動作モードから第１のマルチモード動作モードに切り替わったとき、マルチモード基地局６０１はさらに、当該単一モードの動作モードで生成され当該第１のマルチモード動作モードに適用可能である警告情報を当該第１のマルチモード動作モードの公開警告情報としてネットワーク管理システムに送信するように構成される。
【００７９】
本実施形態の通信システムを使用して、マルチモード基地局の動作モードに対する警告方法における、マルチモード基地局とネットワーク管理システムにより実行される動作を実装する。例えば、マルチモード基地局６０１を使用して、第１の実施形態のＳ１０１とＳ１０２の動作を実行してもよい。
【００８０】
したがって、本実施形態を、マルチモード基地局が警告情報をネットワーク管理システムに送信するために使用してもよい。当該ネットワーク管理システムは、報告された警告情報に従って、当該警告情報に関連する動作モードの範囲を決定する。これによりマルチモード基地局の動作モードに対する統一された管理と保守が容易になり、保守コストが削減され、管理効率性が増す。
【００８１】
諸実施形態における装置のモジュールを、当該実施形態で説明した装置に配置してもよく、または、当該実施形態の装置以外の１つまたは複数の装置に配置してもよいことは当業者には理解される。以上の実施形態に従うモジュールを、１つのモジュールに統合してもよく、または、複数のサブモジュールに分割してもよい。本発明の諸実施形態に従う装置のモジュールが機能で分割される。実際には、機能モジュールを特定の構造に対して分割するか、または、統合してもよいことは当業者には理解される。以上の実施形態の符号は、説明のために使用したにすぎず、当該実施形態のメリットまたはデメリットを表現するものではない。特許請求の範囲で開示した技術的解決策は、本発明の諸実施形態の保護範囲に入る。
【００８２】
最後に、以上の実施形態は本発明を限定するものではなく本発明の技術的解決策を説明するためのものにすぎない。以上の諸実施形態を参照して本発明を詳細に説明したが、以上の実施形態で説明した技術的解決策になお修正を行ってもよく、または、その幾つかの技術的特徴に対して均等な置換えを、かかる修正または置換えが、対応する技術的解決策の本質を本発明の諸実施形態の技術的解決策の範囲から逸脱させない限り、実施してもよいことは当業者には理解される。
【符号の説明】
【００８３】
５０１  生成ユニット
５０２  判定ユニット
５０３  送信ユニット
５０４  処理ユニット
５０５  格納ユニット
６０１  マルチモード基地局
６０２  ネットワーク管理システム
【図１】
0005622216.tif 000002
【図２】
0005622216.tif 000003
【図３】
0005622216.tif 000004
【図４】
0005622216.tif 000005
【図５】
0005622216.tif 000006
【図６】
0005622216.tif 000007